【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
光コヒーレンス・トモグラフィ画像化システムと、画像プロセッサとを含む眼科用画像化システムと、
前記眼科用画像化システムにカップリングされた誘導システムと
を含む眼科用ドッキング・システムであって、
前記光コヒーレンス・トモグラフィ画像化システムは、患者インタフェースを患者の眼にドッキングする間、該患者の眼の一部を画像化するように構成されており、
前記画像プロセッサは、前記画像を分析することによって前記眼の画像化される部分の位置及び向きを割り出すように構成されており、
前記誘導システムは、前記患者インタフェースが前記眼にドッキングされる前に、前記割り出された位置及び向きに基づいて前記ドッキングを誘導するように構成されており、
前記眼の画像化される部分は、前記眼の水晶体の画像化される部分を含み、
前記画像化プロセッサは、前記水晶体の前嚢層の走査画像及び前記水晶体の後嚢層の走査画像を前記画像内において認識するために画像認識プロセスを実施するように構成されており、
前記画像プロセッサは、前記前嚢層の前最大深度及び前最小深度、並びに前記後嚢層の後最大深度及び後最小深度を走査変数に沿って割り出し、前記前最大深度、前記前最小深度、前記後最大深度、及び前記後最小深度から前記水晶体の位置及び向きを割り出すように構成されている、眼科用ドッキング・システム。
【請求項２】
前記光コヒーレンス・トモグラフィ画像化システムは、時間領域光コヒーレンス・トモグラフィ（ＯＣＴ）システム、周波数領域ＯＣＴシステム、及び分光計ベースのＯＣＴシステムのうちの少なくとも１つを含む、請求項１に記載の眼科用ドッキング・システム。
【請求項３】
前記光コヒーレンス・トモグラフィ画像化システムは走査画像化システムを含み、
前記走査画像化システムは、円弧、線、ループ、円、楕円、星、反復形体を有する線、二次元パターン及び二次元メッシュのうちの少なくとも１つの点に画像化ビームを指向することによって走査を実施し、且つ前記走査の点において所定の深度範囲内で前記眼の画像化される部分を画像化するように構成されている、請求項１に記載の眼科用ドッキング・システム。
【請求項４】
前記眼の画像化される部分は、水晶体嚢、水晶体前嚢層、水晶体後嚢層、水晶体ターゲット領域、水晶体、及び核のうちの少なくとも１つを含む、請求項１に記載の眼科用ドッキング・システム。
【請求項５】
前記画像プロセッサは、前記水晶体の位置及び向きを割り出すために前記水晶体の幾何学的モデルを使用することによって、前記認識された層の前記走査画像を分析するように構成されている、請求項１に記載の眼科用ドッキング・システム。
【請求項６】
前記画像プロセッサは、前記前嚢層の走査画像の前位相及び前振幅、並びに前記後嚢層の走査画像の後位相及び後振幅を割り出し、前記前位相、前記前振幅、前記後位相、及び前記後振幅から前記水晶体の位置及び向きを割り出すように構成されている、請求項１に記載の眼科用ドッキング・システム。
【請求項７】
前記誘導システムはディスプレイ・ユニットを含み、
前記誘導システムは、前記ディスプレイ・ユニット上に、前記眼の画像化される部分の割り出された位置に基づく位置誤整合インジケータと、前記眼の画像化される部分の割り出された向きに基づく向き誤整合インジケータとを表示するように構成されている、請求項１に記載の眼科用ドッキング・システム。
【請求項８】
前記位置誤整合インジケータは、前記眼の画像化される部分の割り出された位置に基づく眼位置インジケータと、当該眼科用ドッキング・システムの位置基準とを含み、
当該眼科用ドッキング・システムのオペレータは、前記眼位置インジケータと前記位置基準とを整合させることにより、眼位置誤整合を低減することができ、
前記向き誤整合インジケータは、前記眼の画像化される部分の割り出された向きに基づく眼向きインジケータと、当該眼科用ドッキング・システムの向き基準とを含み、
当該眼科用ドッキング・システムのオペレータは、前記眼向きインジケータと前記向き基準とを整合させることにより、眼向き誤整合を低減することができる、請求項７に記載の眼科用ドッキング・システム。
【請求項９】
前記眼科用誘導システムは、当該眼科用ドッキング・システムのオペレータが眼位置誤整合を低減するように当該眼科用ドッキング・システムのガントリを操作するのを支援するために、前記位置誤整合インジケータを表示し、且つ、当該眼科用ドッキング・システムのオペレータが眼向き誤整合を低減するように前記患者に前記眼を回転させるのを支援するために、前記向き誤整合インジケータを表示するように構成されている、請求項７に記載の眼科用ドッキング・システム。
【請求項１０】
前記誘導システムは固視光システムを含み、該固視光システムは、前記オペレータが前記眼の回転及び該眼の側方運動のうちの少なくとも一方を実施するように前記患者を誘導するために該固視光システムの固視光を調整することができるように構成されている、請求項９に記載の眼科用ドッキング・システム。
【請求項１１】
前記位置誤整合インジケータ及び向き誤整合インジケータのうちの少なくとも一方が、相応の誤整合を示す、前記眼の水晶体の一部の画像を含む、請求項７に記載の眼科用ドッキング・システム。
【請求項１２】
前記眼科用画像化システムは、前記眼のドッキング中に繰り返し前記眼の画像化される部分を画像化するように構成されている、請求項１に記載の眼科用ドッキング・システム。
【請求項１３】
前記眼科用画像化システムは分光計ベースのＯＣＴ画像化システムを含み、該分光計ベースのＯＣＴ画像化システムは、少なくとも２０フレーム／秒のリフレッシュ・レートで前記眼の画像化される部分を画像化するように構成されている、請求項１２に記載の眼科用ドッキング・システム。
【請求項１４】
前記眼科用画像化システムは、前記眼の前面眼構造のビデオ画像を生成するように構成されたビデオ画像化システムを含み、
前記眼の画像化される部分は前記内部眼構造及び前記前面眼構造を含む、請求項１に記載の眼科用ドッキング・システム。
【請求項１５】
前記画像プロセッサは、
前記光コヒーレンス・トモグラフィ画像化システムによって生成された前記内部眼構造の画像から前記内部眼構造の向きを割り出すように構成された深さ方向画像プロセッサと、
前記前面眼構造のビデオ画像から前記前面眼構造の位置を割り出すように構成されたビデオ画像プロセッサと
を含む、請求項１４に記載の眼科用ドッキング・システム。
【請求項１６】
前記深さ方向画像プロセッサは、前記眼の水晶体の前嚢層の一部の画像、及び前記眼の水晶体の後嚢層の一部の画像を前記内部眼構造の深さ方向画像内で認識するために画像認識プロセスを実施し、前記画像認識プロセスの結果に基づいて前記内部眼構造の向きを割り出すように構成されている、請求項１５に記載の眼科用ドッキング・システム。
【請求項１７】
前記ビデオ画像プロセッサは、前記前面眼構造の画像を前記ビデオ画像内で認識するためにビデオ画像認識プロセスを実施し、前記ビデオ画像認識プロセスの結果に基づいて前面眼構造の位置を割り出すように構成されている、請求項１５に記載の眼科用ドッキング・システム。
【請求項１８】
前記深さ方向画像プロセッサは、前記画像化される内部眼構造の位置を割り出すように構成されており、
当該眼科用ドッキング・システムは、前記内部眼構造の割り出された位置と前記前面眼構造の割り出された位置とを用いて前記眼の画像化される部分の位置を割り出すように構成されている、請求項１５に記載の眼科用ドッキング・システム。
【請求項１９】
前記誘導システムはビデオ・ディスプレイ・ユニットを含み、
該ビデオ・ディスプレイ・ユニットは：
前記内部眼構造の向きに関する向き誤整合インジケータと、
前記前面眼構造の位置に関する位置誤整合インジケータと
を表示するように構成されている、請求項１４に記載の眼科用ドッキング・システム。
【請求項２０】
患者インタフェースを患者の眼にドッキングする間、眼科用画像化システムの光コヒーレンス・トモグラフィ画像化システムで前記患者の眼の一部を画像化するステップと、
前記画像を画像プロセッサで分析することによって、前記眼の画像化される部分の位置及び向きを割り出すステップと、
前記患者インタフェースが前記眼にドッキングされる前に、前記割り出された位置及び向きに基づいて誘導システムで前記ドッキングを誘導するステップと
を含み、
前記画像化するステップは、前記眼の水晶体の一部を画像化することを含み、
前記割り出すステップは、前記画像プロセッサによって前嚢層の走査画像及び後嚢層の走査画像を前記画像内において認識するために画像認識プロセスを実施することを含み、
前記割り出すステップは、前記前嚢層の走査画像の前位相及び前振幅、並びに前記後嚢層の走査画像の後位相及び後振幅を割り出すことと、前記前位相、前記前振幅、前記後位相、及び前記後振幅から前記水晶体の位置及び向きを割り出すこととを含む、眼のドッキングを誘導する方法。